(57)【要約】      （修正有）【課題】ＢＬＥで通信する場合、一度接続を確定してしまうと、解除するまで接続状態を維持してしまうため、ユーザーのスレイブ機器が意図していない機器と接続を確立してしまうと、ユーザーのマスター機器と接続したい時にすぐに接続できなくなってしまう問題がある。【解決手段】接続を確立するための接続条件や接続を維持する動作条件などの接続条件を設けて、接続の確立や接続状態の維持をし、接続条件の制限を超えたら接続を切断することを特徴とした。【選択図】なし【特許請求の範囲】
【請求項１】
無線通信におけるマスター通信機器とスレイブ通信機器との間における無線通信システムにおいて、
マスター通信機器は、
前記スレイブ通信機器と通信するためのマスター通信機器アンテナ部と、
前記マスター通信機器アンテナ部を制御するマスター通信機器無線制御部と、
前記スレイブ通信機器を検出するためのスレイブ機器検出部と、
前記スレイブ通信機器と通信を確立する際に通信制御を行うマスター通信機器ペアリング制御部と、
前記マスター通信機器全体を制御するマスター通信機器制御部
を備え、
スレイブ通信機器は、
前記マスター通信機器と通信するためのスレイブ通信機器アンテナ部と、
前記スレイブ通信機器アンテナ部を制御するスレイブ通信機器無線制御部と、
前記マスター通信機器と通信を確立する際に通信制御を行うスレイブ通信機器ペアリング制御部と、
前記スレイブ通信機器の機器情報を記憶しているスレイブ機器情報記憶部部と、
前記スレイブ通信機器が前記マスター通信機器との接続を許可するための条件を記憶しているマスター情報記憶部と、
前記スレイブ通信機器全体を制御するスレイブ通信機器制御部
を備え、
前記スレイブ通信機器は、前記マスター通信機器との通信において無線接続又は切断を、前記マスター情報記憶部に記憶している接続条件情報に従って、前記マスター通信機器との接続又は切断を決定することを特徴とする無線通信システム。
【請求項２】
請求項１に記載の無線通信システムにおいて、
前記マスター情報記憶部に記憶している接続条件情報が、前記スレイブ通信機器が前記マスター通信機器と無線通信した通信のデータ量情報であることを特徴とする無線通信システム。
【請求項３】
請求項１に記載の無線通信システムにおいて、
前記マスター情報記憶部に記憶している接続条件情報が、前記スレイブ通信機器が前記マスター通信機器と無線接続を確立した回数情報であることを特徴とする無線通信システム。
【請求項４】
請求項１に記載の無線通信システムにおいて、
前記スレイブ通信機器は、無線通信接続を確立している時間を計測するためのタイマー部を備え、
前記マスター情報記憶部に記憶している接続条件情報が、前記スレイブ通信機器が前記マスター通信機器と無線接続を確立している時間情報であることを特徴とする無線通信システム。
【請求項５】
請求項１乃至４のいずれか１項に記載の無線通信システムにおいて、
前記マスター通信機器と前記スレイブ通信機器が無線接続中に前記マスター情報記憶部に記憶している接続条件情報の接続条件を満たせなくなり切断する時に、前記マスター情報記憶部に記憶している接続条件情報を削除することを特徴とする無線通信システム。
【発明の詳細な説明】
【技術分野】
【０００１】
本発明は、無線通信を行う際の無線通信接続開始又は、無線接続状態に関し、無線接続を確立する又は、無線接続状態を維持するかの判断に関するものである。
【背景技術】
【０００２】
ＢＬＥ（Ｂｌｕｅｔｏｏｔｈ Ｌｏｗ Ｅｎｅｒｇｙ）を搭載した携帯機器で通信を確立する際に、スレイブとなる機器は自デバイス情報や対応サービスなどの情報を周辺の機器に対して知らせる動作であるアドバタイズ動作を行う。スレイブ機器がアドバタイズで知らせてきた情報をマスターとなる機器が受信し、マスター機器は接続が可能であれば、マスター機器の自デバイスや接続するための情報をスレイブ機器に対して送信を行う。
【０００３】
スレイブ機器はマスター機器が送信してきた接続情報に従って接続準備を行い、マスターからの通信がくることによって、通信が確立したペアリング状態となる。ペアリングが確立した後は、一定間隔で情報交換を行い、情報交換の通信が確立されている間は、通信が確立していると判断し、通信状態を維持する。もし、情報交換ができなかった場合は、通信相手が通信範囲内に存在しないとして、接続を解除する。また、マスター機器又は、スレイブ機器が切断要求をして、意識的に接続を解除することも可能である。
【０００４】
複数のマスターが１台のスレイブ機器の周辺に存在した場合、スレイブ機器のアドバタイズに対して、複数のマスターがスレイブ機器に対して返信すると、スレイブ機器は最も早く返信してきたマスターと接続を確立する。ユーザーの所有するスレイブ機器とマスター機器をペアリングさせる場合に、ユーザー以外のマスター機器が存在し、ユーザーのスレイブ機器のアドバタイズにユーザー以外のマスター機器が反応してしまうと、ユーザーのマスター機器との接続ができない問題があった。
【０００５】
この問題に対して、マスター機器とスレイブ機器をペアリングさせる際に、あるトリガーを設けて、トリガー前のアドバタイズに対する反応を無視する装置もある（特許文献１）。
【先行技術文献】
【特許文献】
【０００６】
【特許文献１】特開２０１２−２０９７５８号公報
【発明の概要】
【発明が解決しようとする課題】
【０００７】
ユーザー以外のマスターデバイスとユーザーのスレイブデバイスが、ユーザーが意図していないところで接続を確立し、接続状態を維持し続けた場合に、ユーザーのマスター機器を接続したい時に接続できないという課題がある。また、先行文献にあるようにトリガーを設けてタイミングを取る構成にしても、トリガー後すぐに、ユーザーが意図していなマスター機器が反応してしまいユーザーが意図していないところで接続を確立してしまうという課題がある。
【０００８】
そこで、本発明の目的は、ユーザーのスレイブ機器が意図していないマスターとの接続を維持しないようにすることを可能にした無線通信システムを提供することである。
【課題を解決するための手段】
【０００９】
本発明の無線通信システムは、無線通信におけるマスター通信機器とスレイブ通信機器との間における無線通信システムにおいて、
マスター通信機器は、
前記スレイブ通信機器と通信するためのマスター通信機器アンテナ部と、
前記マスター通信機器アンテナ部を制御するマスター通信機器無線制御部と、
前記スレイブ通信機器を検出するためのスレイブ機器検出部と、
前記スレイブ通信機器と通信を確立する際に通信制御を行うマスター通信機器ペアリング制御部と、
前記マスター通信機器全体を制御するマスター通信機器制御部
を備え、
スレイブ通信機器は、
前記マスター通信機器と通信するためのスレイブ通信機器アンテナ部と、
前記スレイブ通信機器アンテナ部を制御するスレイブ通信機器無線制御部と、
前記マスター通信機器と通信を確立する際に通信制御を行うスレイブ通信機器ペアリング制御部と、
前記スレイブ通信機器の機器情報を記憶しているスレイブ機器情報記憶部部と、
前記スレイブ通信機器が前記マスター通信機器との接続を許可するための条件を記憶しているマスター情報記憶部と、
前記スレイブ通信機器全体を制御するスレイブ通信機器制御部
を備え、
前記スレイブ通信機器は、前記マスター通信機器との通信において無線接続又は切断を、前記マスター情報記憶部に記憶している接続条件情報に従って、前記マスター通信機器との接続又は切断を決定することを特徴としている。
【発明の効果】
【００１０】
本発明によれば、スレイブ機器はマスター機器を接続するための条件情報に従って、接続をおこない、また、接続条件を満たさなくなった時点で接続を解除することによって、ユーザーの意図していない接続状態を維持することを防止する無線通信システムを提供することができる。
【図面の簡単な説明】
【００１１】
【図１】実施例１を説明するためのブロック図である。
【図２】実施例１を説明するためのシーケンス図である。
【図３】実施例１を説明するためのフローチャートである。
【図４】実施例１を説明するためのフローチャートである。
【図５】実施例２を説明するためのブロック図である。
【図６】実施例２を説明するためのシーケンス図である。
【図７】実施例２を説明するためのフローチャートである。
【図８】実施例３を説明するためのシーケンス図である。
【図９】実施例３を説明するためのフローチャートである。
【発明を実施するための形態】
【００１２】
以下に、本発明の好ましい実施の形態を、添付の図面に基づいて詳細に説明する。図１は、本発明の実施形態にかかわるブロック図である。
【００１３】
［実施例１］
以下、図１を参照して、本発明の第1の実施例による、無線通信システムについて説明する。１０１は、本発明の無線通信システムの無線通信機器の１つであり、ペアリングした後の無線通信接続確立後はスレイブ機器となるスレイブ無線通信機器である。１０２は、本発明の無線通信システムの無線通信機器の１つであり、ペアリングした後の無線通信接続確立後はマスター機器となるマスター無線通信機器である。１０３は、スレイブ無線通信機器１０１の機器全体の制御を行う機器制御部である。１０４は、ペアリング時に必要なスレイブ無線通信機器１０１の機器情報などを記憶している機器情報記憶部である。
【００１４】
１０５は、スレイブ無線通信機器１０１がマスター無線通信機器と通信を確立するペアリング時に制御を行うペアリング制御部である。１０６は、マスター無線通信機器の接続するための情報などを記憶しているスレイブ無線通信機器１０１に供えられたマスター情報記憶部である。マスター情報記憶部１０６は、予めユーザーが通信したいマスター無線通信機器の情報を記憶させている。１０７は、マスター無線通信機器と無線通信を行うための無線信号を送信・受信するためのアンテナ部である。
【００１５】
１０８は、アンテナ部１０７が受信した無線信号をデジタルデータに変換し、機器制御部１０３とデジタルデータの受け渡しをしたり、ペアリング制御部１０５からのデータをアンテナ部１０７から送信するための制御を行う無線制御部である。１０９は、スレイブ無線通信機器１０１がマスター無線通信機器に画像などのデータを送る際のデータを機器制御部１０３と無線制御部１０８の間のデータ制御を行うデータ制御部である。１１０は、マスター無線通信機器１０２の機器全体の制御を行う機器制御部である。
【００１６】
１１１は、スレイブ無線通信機器が送信してきたデータからスレイブ無線通信機器を検出するためのスレイブ無線通信機器である。１１２は、マスター無線通信機器１０２がスレイブ無線通信機器と通信を確立するペアリング時に制御を行うペアリング制御部である。１１３は、スレイブ無線通信機器と無線通信を行うための無線信号を送信・受信するためのアンテナ部である。
【００１７】
１１４は、アンテナ部１１３が受信した無線信号をデジタルデータに変換し、機器制御部１１０とデジタルデータの受け渡しをしたり、ペアリング制御部１１２からのデータをアンテナ部１１３から送信するための制御を行う無線制御部である。１１５は、スレイブ無線通信機器が送信してきた画像などのデータを無線制御部１１４と機器制御部１１０との間のデータ制御を行うデータ制御部である。１１６は、マスター無線通信機器１０２がユーザーが意図して通信を行おうとしているのかを判断するための機器状態検出部である。
【００１８】
次に、図２のシーケンス図と図３のフローチャートを用いて、スレイブ無線通信機器がマスター通信機器と無線接続を確立し、スレイブ無線通信機器が画像データをマスター無線通信機器に転送する動作、マスター無線通信機器との接続を切断する動作の説明を行う。
【００１９】
Ｓ３０１において、スレイブ無線通信機器１０１は、無線制御部１０８がアンテナ部１０７を用いて機器情報記憶部１０４に記憶しているスレイブ無線通信機器１０１の情報を送信し、Ｓ３０２に遷移する。Ｓ３０２において、ペアリング制御部１０５が、アンテナ部１０７が受信した信号がマスター無線通信機器からの接続要求信号かを判別を行い、マスター無線通信機器からの接続要求信号であった場合には、Ｓ３０３に遷移する。Ｓ３０２において、アンテナ部１０７が受信した信号がマスター無線通信機器からの接続要求信号でなかった場合や、所定期間に何も信号を受信しなかった場合は、Ｓ３０１へ遷移し、再度、スレイブ無線通信機器１０１の情報を送信する。
【００２０】
Ｓ３０３において、Ｓ３０２で受信した信号がマスター無線通信機器からの接続要求信号であった場合、接続要求のあったマスター無線通信機器に対応したマスター情報記憶部１０６に記憶されている情報を読みだして、Ｓ３０４へ遷移する。また、Ｓ３０３において、Ｓ３０２で受信した信号がマスター情報記憶部１０６に記憶されていないマスター無線通信機器であった場合は、マスター情報記憶部１０６に記憶されていないマスター無線通信機器としてＳ３０４へ遷移する。
【００２１】
Ｓ３０４において、マスター情報記憶部１０６に記憶されていないマスター無線通信機器の場合は、接続状態に移行せずに終了処理を行う。また、Ｓ３０４において、マスター情報記憶部１０６に記憶されているマスター無線通信機器の場合は、接続状態に移行しＳ３０５へ遷移する。Ｓ３０５において、マスター無線通信機器と接続を確立し、ユーザーが意図して通信を行おうとしているのかを判断するためのマスター無線通信機器の状態を取得しＳ３０６へ遷移する。
【００２２】
本実施例において、ユーザーが意図して通信を行おうとしていると判断する例として、加速度センサやジャイロセンサなどで機器が物理的に動いていることを検出して、ユーザーが機器を操作していると判断するなどがある。また、メニュー画面などから接続動作を開始したなどから判断してもよい。
【００２３】
Ｓ３０６において、Ｓ３０５で取得したマスター無線通信機器の状態情報がユーザーがマスター無線通信機器に対して接続操作を行った状態、又は、ユーザーがマスター無線通信機器を手持ちの状態であった場合は、ユーザーが意図して通信を行おうとしていると判断しＳ３０７へ遷移する。Ｓ３０６において、Ｓ３０５で取得したマスター無線通信機器の状態情報がユーザーが意図して通信を行おうとしていると判断できない場合は、接続状態を解除し終了処理を行う。
【００２４】
Ｓ３０７において、マスター情報記憶部１０６に記憶されている接続しているマスター無線通信機器に対応した画像の転送可能枚数（Ｘ）を読みだし、画像の転送可能枚数（Ｘ）として設定しＳ３０８へ遷移する。
【００２５】
本実施例では、一例として画像転送可能枚数としているが画像転送可能枚数に限定するものではなく、データの転送容量などでもよい。Ｓ３０８において、スレイブ無線通信機器１０１はマスター無線通信機器からのデータ受信待ちであり、マスター無線通信機器からデータを受信したらＳ３０９へ遷移する。Ｓ３０９において、Ｓ３０８で受信したデータの内容が切断要求であれば、切断処理を行い終了処理を行う。
【００２６】
Ｓ３０９において、Ｓ３０８で受信したデータの内容がデータ送信（画像転送）要求であればＳ３１０へ遷移する。Ｓ３１０において、機器制御部１０３は転送する画像データをデータ制御部１０９へ転送を行いＳ３１１へ遷移する。Ｓ３１１において、無線制御部１０８はデータ制御部１０９から画像データを取得し、画像データをアンテナ部１０７からマスター無線通信機器に送信しＳ３１２へ遷移する。
【００２７】
Ｓ３１２において、Ｓ３０７で設定した画像の転送可能枚数を減算し（Ｘ＝Ｘ−１）、Ｓ３１３へ遷移する。Ｓ３１３において、Ｓ３１２で算出した画像の転送可能枚数（Ｘ＝Ｘ−１）をマスター情報記憶部１０６の対象になるマスター情報の画像の転送可能枚数として記憶しＳ３１４へ遷移する。Ｓ３１４において、画像の転送可能枚数が限度枚数に達していないかを確認し、限度枚数を超えていない場合はＳ３０８へ遷移し、限度枚数を超えていた場合はＳ３１５へ遷移する。
【００２８】
Ｓ３１５において、マスター情報記憶部１０６に記憶している対象のマスター情報を削除し、Ｓ３１６へ遷移する。Ｓ３１６において、マスター無線通信機器に対して、切断要求をおこない終了処理を行う。
【００２９】
次に、図２のシーケンス図と図４のフローチャートを用いて、マスター無線通信機器がスレイブ通信機器と無線接続を確立し、マスター無線通信機器にスレイブ無線通信機器が画像データを転送する動作、スレイブ無線通信機器との接続を切断する動作の説明を行う。
【００３０】
Ｓ４０１において、マスター無線通信機器１０２は、スレイブ無線通信機器が送信する機器情報を受信できるようにアンテナ部１１３や無線制御部１１４を制御しＳ４０２へ遷移する。Ｓ４０２において、マスター無線通信機器１０２は、スレイブ無線通信機器が送信する機器情報の受信待ち状態となり、スレイブ無線通信機器の情報を受信したらＳ４０３へ遷移する。
【００３１】
Ｓ４０３において、マスター無線通信機器１０２は、スレイブ機器検出部１１１で、Ｓ４０２で受信した情報から接続可能なスレイブ無線通信機器であるかを判断し、接続を行いたいスレイブ無線通信機器であればＳ４０４へ遷移する。Ｓ４０３において、接続を行いたいスレイブ無線通信機器でない場合は、Ｓ４０２へ遷移する。Ｓ４０４において、ペアリング制御部１１２は、スレイブ無線通信機器に対して接続に必要となるマスター無線通信機器１０２の情報を無線制御部１１４へ送信し、無線制御部１１４はマスター無線通信機器１０２の情報をスレイブ無線通信機器に送信しＳ４０５へ遷移する。
【００３２】
Ｓ４０５において、アンテナ部１１３と無線制御部１１４をスレイブ無線通信機器との接続状態へ移行しＳ４０６へ遷移する。Ｓ４０６において、機器状態検出部１１６から情報を読み出し、スレイブ無線通信機器に送信しＳ４０７へ遷移する。Ｓ４０７において、スレイブ無線通信機器に対して、画像の転送要求を送信しＳ４０８へ遷移する。Ｓ４０８において、スレイブ無線通信機器からの返答を待つためにデータの受信状態に移行し、スレイブ無線通信機器からの返答を受信した場合は、Ｓ４０９へ遷移する。
【００３３】
Ｓ４０９において、受信したデータの内容が切断要求であれば、切断処理を行い終了処理を行う。Ｓ４０９において、Ｓ４０８で受信したデータの内容が画像データであればＳ４１０へ遷移する。Ｓ４１０において、無線制御部１１４はデータ制御部１１５に画像データを転送し、ブロック図には記載していながマスター無線通信機器１０２の画像を記憶するための記憶手段に画像を保存しＳ４１１へ遷移する。
【００３４】
Ｓ４１１において、続いて画像の転送要求を行う場合にはＳ４０７に遷移し、接続を解除する場合はＳ４１２へ遷移する。Ｓ４１２において、スレイブ無線通信機器に対して、切断要求を送信し終了処理を行う。スレイブ無線通信機器からマスター無線通信機器への画像送信について説明を行ったが、マスター無線通信機器からスレイブ無線通信機器への画像送信についても同様の動作になるので、説明を割愛する。
【００３５】
以上の構成のように、マスターとスレイブ無線通信機器との間で無線接続し、画像転送を行う際に、規定の画像転送枚数に達した場合に接続を解除することによって、不要に接続状態を維持し続けることを防止することができる。
【００３６】
［実施例２］
以下、図５、図６、図７を用いて、本発明の第２の実施例について説明する。図５のブロック図は、５０１以外の構成は、図１と同じ構成となっているので、５０１の説明だけ行う。５０１は、スレイブ無線通信機器１０１に供えられているスレイブ無線通信機器とマスター無線通信機器の接続状態の時間を計測するためのタイマー部である。
【００３７】
次に、図６のシーケンス図と図７のフローチャートを用いて、スレイブ無線通信機器がマスター通信機器と無線接続を確立し、スレイブ無線通信機器が画像データをマスター無線通信機器に転送する動作、マスター無線通信機器との接続を切断する動作の説明を行う。マスター無線通信機器がスレイブ通信機器と無線接続を確立し、マスター無線通信機器にスレイブ無線通信機器が画像データを転送する動作、スレイブ無線通信機器との接続を切断する動作については、実施例１と同じとなる。
【００３８】
Ｓ７０１において、スレイブ無線通信機器１０１は、無線制御部１０８がアンテナ部１０７を用いて機器情報記憶部１０４に記憶しているスレイブ無線通信機器１０１の情報を送信し、Ｓ７０２に遷移する。Ｓ７０２において、ペアリング制御部１０５が、アンテナ部１０７が受信した信号がマスター無線通信機器からの接続要求信号かを判別を行い、マスター無線通信機器からの接続要求信号であった場合には、Ｓ７０３に遷移する。Ｓ７０２において、アンテナ部１０７が受信した信号がマスター無線通信機器からの接続要求信号でなかった場合や、所定期間に何も信号を受信しなかった場合は、Ｓ７０１へ遷移し、再度、スレイブ無線通信機器１０１の情報を送信する。
【００３９】
Ｓ７０３において、Ｓ７０２で受信した信号がマスター無線通信機器からの接続要求信号であった場合、接続要求のあったマスター無線通信機器に対応したマスター情報記憶部１０６に記憶されている情報を読みだして、Ｓ７０４へ遷移する。また、Ｓ７０３において、Ｓ７０２で受信した信号がマスター情報記憶部１０６に記憶されていないマスター無線通信機器であった場合は、マスター情報記憶部１０６に記憶されていないマスター無線通信機器としてＳ７０４へ遷移する。
【００４０】
Ｓ７０４において、マスター情報記憶部１０６に記憶されていないマスター無線通信機器の場合は、接続状態に移行せずに終了処理を行う。また、Ｓ７０４において、マスター情報記憶部１０６に記憶されているマスター無線通信機器の場合は、接続状態に移行しＳ７０５へ遷移する。Ｓ７０５において、マスター無線通信機器と接続を確立し、ユーザーが意図して通信を行おうとしているのかを判断するためのマスター無線通信機器の状態を取得しＳ７０６へ遷移する。
【００４１】
Ｓ７０６において、Ｓ７０５で取得したマスター無線通信機器の状態情報がユーザーがマスター無線通信機器に対して接続操作を行った状態、又は、ユーザーがマスター無線通信機器を手持ちの状態であった場合は、ユーザーが意図して通信を行おうとしていると判断しＳ７０７へ遷移する。Ｓ７０６において、Ｓ７０５で取得したマスター無線通信機器の状態情報がユーザーが意図して通信を行おうとしていると判断できない場合は、接続状態を解除し終了処理を行う。
【００４２】
Ｓ７０７において、マスター情報記憶部１０６に記憶されている接続しているマスター無線通信機器に対応した接続制限時間を読みだし、制限時間として読みだした接続制限時間をタイマー部５０１に設定し、時間の計測を開始しＳ７０８へ遷移する。Ｓ７０８において、スレイブ無線通信機器１０１はマスター無線通信機器からのデータ受信待ちであり、マスター無線通信機器からデータを受信したらＳ７０９へ遷移する。Ｓ７０９において、Ｓ７０８で受信したデータの内容が切断要求であれば、タイマー部５０１で計測している時間を制限時間から減算して、マスター無線通信機器の制限時間としてマスター情報記憶部１０６に記憶させた後に、切断処理を行い終了処理を行う。
【００４３】
Ｓ７０９において、Ｓ７０８で受信したデータの内容がデータ送信（画像転送）要求であればＳ７１０へ遷移する。Ｓ７１０において、機器制御部１０３は転送する画像データをデータ制御部１０９へ転送を行いＳ７１１へ遷移する。Ｓ７１１において、無線制御部１０８はデータ制御部１０９から画像データを取得し、画像データをアンテナ部１０７からマスター無線通信機器に送信しＳ７０８へ遷移する。Ｓ７０８において、スレイブ無線通信機器１０１はマスター無線通信機器からのデータ受信待ちであり、マスター無線通信機器からデータを受信していない場合はＳ７１２へ遷移する。
【００４４】
Ｓ７１２において、タイマー部５０１で計測している接続時間と制限時間を比較し、制限時間に達していない場合はＳ７０８へ遷移し、制限時間を超えていた場合はＳ７１３へ遷移する。Ｓ７１３において、マスター情報記憶部１０６に記憶している対象のマスター情報を削除し、Ｓ７１４へ遷移する。Ｓ７１４において、マスター無線通信機器に対して、切断要求をおこない終了処理を行う。
【００４５】
以上の構成のように、マスターとスレイブ無線通信機器との間で無線接続し、画像転送を行う際に、接続時間の規定を設けることによって、規定した時間が経過すると自動でマスターとスレイブ無線通信機器の接続を解除するので、ユーザーの意図していない接続状態を維持することを防止することができる。
【００４６】
［実施例３］
以下、図８、図９を用いて、本発明の第３の実施例について説明する。図８のシーケンス図と図９のフローチャートを用いて、スレイブ無線通信機器がマスター通信機器と無線接続を確立し、スレイブ無線通信機器が画像データをマスター無線通信機器に転送する動作、マスター無線通信機器との接続を切断する動作の説明を行う。
【００４７】
マスター無線通信機器がスレイブ通信機器と無線接続を確立し、マスター無線通信機器にスレイブ無線通信機器が画像データを転送する動作、スレイブ無線通信機器との接続を切断する動作については、実施例１と同じとなる。Ｓ９０１において、スレイブ無線通信機器１０１は、無線制御部１０８がアンテナ部１０７を用いて機器情報記憶部１０４に記憶しているスレイブ無線通信機器１０１の情報を送信し、Ｓ９０２に遷移する。Ｓ９０２において、ペアリング制御部１０５が、アンテナ部１０７が受信した信号がマスター無線通信機器からの接続要求信号かを判別を行い、マスター無線通信機器からの接続要求信号であった場合には、Ｓ９０３に遷移する。
【００４８】
Ｓ９０２において、アンテナ部１０７が受信した信号がマスター無線通信機器からの接続要求信号でなかった場合や、所定期間に何も信号を受信しなかった場合は、Ｓ９０１へ遷移し、再度、スレイブ無線通信機器１０１の情報を送信する。Ｓ９０３において、Ｓ９０２で受信した信号がマスター無線通信機器からの接続要求信号であった場合、接続要求のあったマスター無線通信機器に対応したマスター情報記憶部１０６に記憶されている情報を読みだして、Ｓ９０４へ遷移する。
【００４９】
また、Ｓ９０３において、Ｓ９０２で受信した信号がマスター情報記憶部１０６に記憶されていないマスター無線通信機器であった場合は、マスター情報記憶部１０６に記憶されていないマスター無線通信機器としてＳ９０４へ遷移する。Ｓ９０４において、マスター情報記憶部１０６に記憶されていないマスター無線通信機器の場合は、接続状態に移行せずに終了処理を行う。
【００５０】
Ｓ９０４において、Ｓ９０３で読みだしたマスター情報記憶部に記憶している残り接続回数（Ｎ）があるか（Ｎ＞０）を確認し、接続回数が残っていなかった場合（Ｎ≦０）は接続状態に移行せずに終了処理を行う。Ｓ９０４において、マスター無線通信機器情報の残り接続回数がある場合（Ｎ＞０）はＳ９０５へ遷移する。Ｓ９０５において、マスター無線通信機器と接続を確立し、ユーザーが意図して通信を行おうとしているのかを判断するためのマスター無線通信機器の状態を取得しＳ９０６へ遷移する。
【００５１】
Ｓ９０６において、Ｓ３０５で取得したマスター無線通信機器の状態情報がユーザーがマスター無線通信機器に対して接続操作を行った状態、又は、ユーザーがマスター無線通信機器を手持ちの状態であった場合は、ユーザーが意図して通信を行おうとしていると判断しＳ９０７へ遷移する。Ｓ９０６において、Ｓ９０５で取得したマスター無線通信機器の状態情報がユーザーが意図して通信を行おうとしていると判断できない場合は、接続状態を解除し終了処理を行う。
【００５２】
Ｓ９０７において、スレイブ無線通信機器１０１はマスター無線通信機器からのデータ受信待ちであり、マスター無線通信機器からデータを受信したらＳ９０８へ遷移する。Ｓ９０８において、Ｓ９０７で受信したデータの内容が切断要求であれば、Ｓ９０９へ遷移する。Ｓ９０９において、マスター情報記憶部１０６に記憶している対象のマスター情報の残り接続回数として、（Ｎ−１）を記憶させて、接続状態を解除し終了処理を行う。
【００５３】
Ｓ９０８において、Ｓ９０７で受信したデータの内容がデータ送信（画像転送）要求であればＳ９１０へ遷移する。Ｓ９１０において、機器制御部１０３は転送する画像データをデータ制御部１０９へ転送を行いＳ９１１へ遷移する。Ｓ９１１において、無線制御部１０８はデータ制御部１０９から画像データを取得し、画像データをアンテナ部１０７からマスター無線通信機器に送信しＳ９０７へ遷移する。
【００５４】
以上の構成のように、マスターとスレイブ無線通信機器との間で無線接続を確立する際に、接続回数の制限をすることによって、一度接続した後のユーザーに対しても制限がかけられるので、不要なユーザーの接続を防止することが可能となる。
【符号の説明】
【００５５】
１０１：スレイブ無線通信機器
１０２：マスター無線通信機器
１０３、１１０：機器制御部
１０４：機器情報記憶部
１０５、１１２：ペアリング制御部
１０６：マスター情報記憶部
１０７、１１３：アンテナ部
１０８、１１４：無線制御部
１０９、１１５：データ制御部
１１１：スレイブ機器検出部
１０６：機器状態検出部
【図１】
2018129641.tif 000002
【図２】
2018129641.tif 000003
【図３】
2018129641.tif 000004
【図４】
2018129641.tif 000005
【図５】
2018129641.tif 000006
【図６】
2018129641.tif 000007
【図７】
2018129641.tif 000008
【図８】
2018129641.tif 000009
【図９】
2018129641.tif 000010